(57)【要約】      （修正有）【課題】納骨壇の前方に枢設される扉を改良し、扉に物を配置可能な収容部を増設することで、骨壺の安置領域と位牌・祭物の安置領域とを区分し、礼拝者が扉を開放することなく扉上の収容部のドアを開放すれば、故人を悼んで安心して祈りを捧げることが可能となる納骨壇の扉構造を提供する。【解決手段】骨壺を安置するための筐体である納骨壇の扉構造において、筐体３の一方の側に扉１が枢設され、扉１に収容部１２が設けられる。扉１の前方には第１湾曲プレート２が設けられ、第１湾曲プレート２は、扉１の片側又は両側に枢設されるとともに扉１上で枢動可能である。第１湾曲プレート２によって収容部１２が開閉可能になるとともに、位牌や祭物を配置可能となる。よって、礼拝者は祭儀を執り行うにあたり第１湾曲プレート２を開放するだけで故人を追悼可能であり、安心して祭儀を執り行うことができる。【選択図】図１
0003215461.tif 000002
【実用新案登録請求の範囲】
【請求項１】
筐体を含み、当該筐体の前方に開口が備えられ、開口の一方の側辺に扉が枢設される納骨壇の扉構造において、
当該扉はフレーム部を含み、当該フレーム部に収容部が設けられ、当該収容部の前方はフレーム部から突出しており、
フレーム部のうち当該収容部の前方の側辺に位置する箇所には第１湾曲プレートが設けられ、当該第１湾曲プレートが当該収容部を開閉する機能を有するように、当該第１湾曲プレートの一方の側辺はフレーム部と収容部の交差箇所に近接して枢設されることを特徴とする扉構造。
【請求項２】
当該開口の両側辺にそれぞれ扉が枢設されており、当該扉が互いに開閉可能であることを特徴とする請求項１記載の納骨壇の扉構造。
【請求項３】
当該第１湾曲プレートは一対設けられ、それぞれ収容部の両側辺に枢設されて互いに収容部を開閉することを特徴とする請求項１記載の納骨壇の扉構造。
【請求項４】
更に、当該収容部は当該フレーム部に対して前後に突出し、当該収容部の後方に第２湾曲プレートが設けられることを特徴とする請求項１記載の納骨壇の扉構造。
【請求項５】
当該第２湾曲プレートは、収容部の一方の側辺に枢設されて収容部を開閉する機能を有することを特徴とする請求項４記載の納骨壇の扉構造。
【請求項６】
当該収容部のうちフレーム部の上方には天板が突設され、フレーム部の下方には座板が突設されることを特徴とする請求項１記載の納骨壇の扉構造。
【請求項７】
当該座板には嵌入溝が設けられることを特徴とする請求項６記載の納骨壇の扉構造。
【請求項８】
当該嵌入溝には表像部が設けられることを特徴とする請求項７記載の納骨壇の扉構造。
【請求項９】
筐体を含み、当該筐体は矩形の箱型形状をなすとともに前方に開口を備え、開口の一方の側辺に扉が枢設される納骨壇の扉構造において、
当該扉はフレーム部を含み、収容部が形成されるよう、当該フレーム部の上方には天板が突設され、フレーム部の下方には座板が突設され、
当該収容部の天板と座板にはそれぞれ環状軌道が設けられ、当該２つの環状軌道は互いに対応しており、
更に、一対の第１湾曲プレートが設けられ、当該第１湾曲プレートは上下の形状が環状軌道にそれぞれ一致しており、且つ、当該一対の第１湾曲プレートは環状軌道上で互いに開閉可能に摺動すべく、左右から対応する環状軌道に嵌め込まれることを特徴とする扉構造。
【請求項１０】
筐体を含み、当該筐体は矩形の箱型形状をなすとともに前方に開口を備え、開口の一方の側辺に扉が枢設される納骨壇の扉構造において、
当該扉はフレーム部を含み、収容部が形成されるよう、当該フレーム部の上方には天板が突設され、フレーム部の下方には座板が突設され、
フレーム部のうち当該収容部の前方の側辺に位置する箇所には第１湾曲プレートが設けられ、当該第１湾曲プレートが当該収容部を開閉するよう、当該第１湾曲プレートの一方の側辺はフレーム部と収容部の交差箇所に近接して枢設され、
当該収容部は当該フレーム部に対して前後に突出し、当該収容部の後方に第２湾曲プレートが設けられることを特徴とする扉構造。
【請求項１１】
当該第２湾曲プレートは、収容部の一方の側辺に枢設されて収容部を開閉する機能を有することを特徴とする請求項１０記載の納骨壇の扉構造。
【請求項１２】
当該第１湾曲プレートは一対設けられ、それぞれ収容部の両側辺に枢設されて互いに収容部を開閉することを特徴とする請求項１０記載の納骨壇の扉構造。
【請求項１３】
筐体を含み、当該筐体の前方に開口が備えられ、開口の一方の側辺に扉が枢設される納骨壇の扉構造において、
当該扉はフレーム部を含み、収容部が形成されるよう、当該フレーム部の上方には天板が突設され、当該フレーム部の下方には座板が突設され、
フレーム部のうち当該収容部の前方の側辺に位置する箇所には第１湾曲プレートが設けられ、当該第１湾曲プレートが当該収容部を開閉する機能を有するように、当該第１湾曲プレートの一方の側辺はフレーム部と収容部の交差箇所に近接して枢設されることを特徴とする扉構造。
【考案の詳細な説明】
【技術分野】
【０００１】
本考案は納骨壇の扉構造に関し、礼拝者が祈りや祭物を捧げやすいよう、扉に物置スペース構造が設けられた骨壺を安置するための筐体に関する。
【背景技術】
【０００２】
通常、納骨壇は積み重ねやすさや容積率の拡大を考慮して、矩形の筐体とされることが多い。また、骨壺の安置後に筐体を閉じられるよう、筐体の前方には扉が開閉可能に枢設されている。しかし、筐体の扉を開放する際に内部の骨壺が露出し、不注意から骨壺に触れて落としてしまう可能性が極めて高い。更には、故人の魂の安寧を妨げ、不敬を働くことにもなり、礼拝時に位牌や祭物を安置するにも不便である。
【０００３】
上記のような従来の課題に鑑みて、本考案者は構想上の瑕疵につき研究及び改良を行い、本考案を設計した。
【考案の概要】
【考案が解決しようとする課題】
【０００４】
本考案は、納骨壇の前方に枢設される扉を改良し、当該扉に物を配置可能な収容部を増設することで、骨壺の安置領域と位牌・祭物の安置領域とを区分し、礼拝者が扉を開放することなく扉上の収容部のドアを開放すれば、故人を悼んで安心して祈りを捧げることが可能となる納骨壇の扉構造を提供することを主たる目的とする。
【課題を解決するための手段】
【０００５】
本考案の納骨壇の扉構造は筐体を含み、当該筐体の側辺に扉が枢設され、当該扉はフレーム部を含み、当該フレーム部に収容部が突設される。フレーム部のうち当該収容部の前方の側辺に位置する箇所には第１湾曲プレートが設けられる。当該収容部の後方には第２湾曲プレートが設けられる。詳細に定義すると、当該収容部は当該フレーム部に対し前後に突出する。また、座板には嵌入溝が設けられる。当該嵌入溝には表像部が挿入され、表像部の下方と上方はそれぞれ天板と座板に当接して収容部に固定される。当該表像部が収容部に設けられることで、前方と後方に物置スペースが設けられる。これにより、当該座板には祭物を配置するための配置領域と収納領域の２つが形成される。
【図面の簡単な説明】
【０００６】
【図１】図１は、本考案の分解図である。
【図２】図２は、本考案の第１実施例の分解図である。
【図３】図３は、本考案の第１実施例の組立図である。
【図４】図４は、図３の平面図である。
【図５】図５は、本考案における図１の扉を組み付けた場合の平面図である。
【図６】図６は、本考案の第２実施例の平面図である。
【図７】図７は、本考案の第３実施例の平面図である。
【図８】図８は、本考案の第４実施例の平面図である。
【図９】図９は、図８の第１湾曲プレートの他の実施形状を示す図である。
【図１０】図１０は、図５の第１湾曲プレートの他の実施形状を示す図である。
【図１１】図１１は、図６の第１湾曲プレートの他の実施形状を示す図である。
【図１２】図１２は、図７の第１湾曲プレートの他の実施形状を示す図である。
【考案を実施するための形態】
【０００７】
図１を参照して、本考案で提供する納骨壇の扉構造は筐体３を含む。当該筐体３は矩形の箱型形状をなしており、前方に開口を有する。当該開口の一方の側辺３１には扉１が枢設されている。当該納骨壇の扉構造の特徴として、当該扉１はフレーム部１１を含み、収容部１２が形成されるよう、当該フレーム部１１の上方には天板１２１が突設され、当該フレーム部１１の下方には座板１２２が突設される。フレーム部１１のうち当該収容部１２の前方の側辺１２ａに位置する箇所には第１湾曲プレート２が設けられる。当該第１湾曲プレート２は当該収容部１２の開閉に用いられる。詳細に定義すると、図５及び図１０に示すように、当該第１湾曲プレート２の一方の側辺がフレーム部１１と収容部１２の交差箇所に枢設されている。図２は本考案の第１実施例を示すが、本考案の特徴の範囲を限定する意図ではない。当該収容部１２の後方には第２湾曲プレート２１が設けられている。詳細に定義すると、当該収容部１２は当該フレーム部１１に対して前後に突出する。また、当該座板１２２には嵌入溝１２３が設けられている。図３に示すように、当該嵌入溝１２３には表像部１２４が挿入され、当該表像部１２４は故人の位牌や神仏像の安置に用いられる。なお、当該表像部１２４は矩形のパネルに限定されず、レリーフが施された彫刻芸術としてもよい。また、表像部１２４の下方と上方はそれぞれ天板１２１と座板１２２に当接して収容部１２に固定される。図４に示すように、当該表像部１２４を収容部１２に設けることで、当該座板１２２は物を配置するための配置部１２５と収納部１２６の２つに区分される。図６及び図１１に示す第２実施例において、当該第１湾曲プレート２は収容部１２の両側辺１２ａにそれぞれ枢設されて、互いに収容部１２を開閉するための一対のプレートとされる。図７及び図１２に示す第３実施例では、当該第２湾曲プレート２１もまた収容部１２を開閉する機能を有する。当該第２湾曲プレート２１は、フレーム部１１のうち当該収容部１２の後方の側辺１２ｂに位置する箇所に枢設可能である。
【０００８】
第４実施例において、当該第１湾曲プレート２の形状としては図８及び図９の形状が可能であり、且つ、当該第１湾曲プレート２によって当該収容部１２が封止されている。
【０００９】
また、本考案の第５実施例（図示しない）では、当該収容部１２の天板１２１と座板１２２にそれぞれ環状軌道（図示しない）が設けられ、当該２つの環状軌道が互いに対応している。当該第１湾曲プレート２は一対設けられ、第１湾曲プレート２の上下の形状が環状軌道にそれぞれ一致している。当該一対の第１湾曲プレート２は環状軌道上で互いに開閉可能に摺動すべく、左右から対応する環状軌道に嵌め込まれる。
【００１０】
上述したように、本考案は確実に関連産業における幅広い応用が可能である。また、本考案は出願以前に特許法の規定を満たしているため、法に基き考案として出願する。審査のうえ権利化されるよう切に望む。
【００１１】
なお、以上は本考案で可能な実施例にすぎず、本考案の実施範囲を限定するものではない。本考案の請求の範囲に記載される特徴及び精神に基づく等価の変形又は補足は、いずれも本考案の請求の範囲に属する。
【符号の説明】
【００１２】
１      扉
２      第１湾曲プレート
３      筐体
３１    側辺
１１    フレーム部
１２１  天板
１２２  座板
１２    収容部
１２ａ  側辺
２１    第２湾曲プレート
１２３  嵌入溝
１２４  表像部
１２５  配置部
１２６  収納部
【図１】
0003215461.tif 000003
【図２】
0003215461.tif 000004
【図３】
0003215461.tif 000005
【図４】
0003215461.tif 000006
【図５】
0003215461.tif 000007
【図６】
0003215461.tif 000008
【図７】
0003215461.tif 000009
【図８】
0003215461.tif 000010
【図９】
0003215461.tif 000011
【図１０】
0003215461.tif 000012
【図１１】
0003215461.tif 000013
【図１２】
0003215461.tif 000014